(57)【要約】【課題】接続対象物の端子への導電部材の締結作業を容易に行うことができるとともに、端子に対するナットの位置ずれを吸収することのできる。【解決手段】バッテリ１の端子２同士を接続する導電部材２０に、ナット１０を径方向に移動可能に保持するナット保持部２２を設け、ナット保持部２２を、ナット１０の軸方向への移動を規制可能に形成するとともに、ボルト螺合時のナット１０の回動を規制可能に形成したので、ナット１０を手や工具で保持しておかなくともボルト３０を締結することができる。また、ナット１０を径方向（導電部材２０の長手方向）に移動させることにより、バッテリ１の端子２と導電部材２０のナット１０との位置ずれを吸収することができるので、各端子２のボルト挿通孔２ａの間隔に寸法誤差がある場合でも、ナット１０の位置をずらすことにより、ボルト３０を確実にナット１０に螺合することができる。【選択図】図７
2012209165.tif 000002
【特許請求の範囲】
【請求項１】
複数の接続対象物の端子に、ボルト及びナットによって導電部材を締結することにより、導電部材を介して各接続対象物の端子同士を接続する電気接続具において、
前記導電部材に、ナットを径方向に移動可能に保持するナット保持部を設け、
ナット保持部を、ナットの軸方向への移動を規制可能に形成するとともに、ボルト螺合時のナットの回動を規制可能に形成した
ことを特徴とする電気接続具。
【請求項２】
前記ナット保持部を、ナットに設けたフランジ部にナットの軸方向から係止することにより、ナットの軸方向への移動を規制するように形成した
ことを特徴とする請求項１記載の電気接続具。
【請求項３】
前記ナット保持部を、ナットの側面にナットの径方向から係止することにより、ボルト螺合時のナットの回動を規制するように形成した
ことを特徴とする請求項１または２記載の電気接続具。
【請求項４】
前記ナット保持部を、ナットの径方向への移動を所定範囲内に規制するように形成した
ことを特徴とする請求項１、２または３記載の電気接続具。
【請求項５】
前記導電部材の一部を所定方向に弾性変形可能に形成した
ことを特徴とする請求項１、２、３または４記載の電気接続具。
【発明の詳細な説明】
【技術分野】
【０００１】
本発明は、例えば電気自動車用のバッテリや建物の配電盤等、複数の接続対象物を電気的に接続するための電気接続具に関するものである。
【背景技術】
【０００２】
従来、例えば電気自動車に搭載されるバッテリを接続する場合等、複数の接続対象物を電気的に接続する電気接続具としては、バスバー等の導電部材を各接続対象物の端子にボルト及びナットによって締結することにより、導電部材を介して各接続対象物の端子同士を接続するようにしたものが知られている（例えば、特許文献１または２参照）。
【先行技術文献】
【特許文献】
【０００３】
【特許文献１】特開２００９−１７６５５９号公報
【特許文献２】特開平１０−３３６８４２号公報
【発明の概要】
【発明が解決しようとする課題】
【０００４】
しかしながら、従来の電気接続具では、導電部材と接続対象物の端子とをボルト及びナットによって締結する際、ナットを手や工具で保持しながらボルト締めを行わなければならないため、締結作業が煩雑になるとともに、手や工具の挿入スペースを十分に確保することができない場合には、締結作業が困難になるという問題点があった。
【０００５】
また、ナットを導電部材に溶接や圧入等により接合したり、或いは導電部材にナットに代わるネジ孔を設けるようにすれば、ナットを手や工具で固定する作業を必要とせずにボルトを螺合することができる。しかしながら、各接続対象物の端子の間隔に寸法誤差がある場合は、端子に対するナットやネジ孔の位置ずれを吸収することができないため、ボルトの螺合が困難になるという問題点があった。
【０００６】
本発明は前記問題点に鑑みてなされたものであり、その目的とするところは、接続対象物の端子への導電部材の締結作業を容易に行うことができるとともに、端子に対するナットの位置ずれを吸収することのできる電気接続具を提供することにある。
【課題を解決するための手段】
【０００７】
本発明は前記目的を達成するために、複数の接続対象物の端子に、ボルト及びナットによって導電部材を締結することにより、導電部材を介して各接続対象物の端子同士を接続する電気接続具において、前記導電部材に、ナットを径方向に移動可能に保持するナット保持部を設け、ナット保持部を、ナットの軸方向への移動を規制可能に形成するとともに、ボルト螺合時のナットの回動を規制可能に形成している。
【０００８】
これにより、ナット保持部によってナットの軸方向への移動が規制されるとともに、ナット保持部によってボルト螺合時のナットの回動が規制されることから、ナットを手や工具で保持しておかなくともボルトを締結することができる。また、ナットを径方向に移動させることにより、接続対象物の端子と導電部材のナットとの位置ずれを吸収することができる。
【発明の効果】
【０００９】
本発明によれば、ナットを手や工具で保持しておかなくともボルトを締結することができるので、接続対象物の端子への導電部材の締結作業を極めて容易に行うことができる。また、接続対象物の端子と導電部材のナットとの位置ずれを吸収することができるので、各端子の間隔に寸法誤差がある場合でも、ナットの位置をずらすことにより、ボルトを確実にナットに螺合することができる。
【図面の簡単な説明】
【００１０】
【図１】本発明の第１の実施形態を示す電気接続具の上面側斜視図
【図２】電気接続具の下面側斜視図
【図３】電気接続具の側面図
【図４】電気接続具の平面図
【図５】電気接続具の底面図
【図６】電気接続具の正面図
【図７】端子への締結工程を示す分解斜視図
【図８】端子への締結状態を示す斜視図
【図９】端子への締結工程を示す側面図
【図１０】本発明の第２の実施形態を示す電気接続具の上面側斜視図
【図１１】電気接続具の下面側斜視図
【図１２】電気接続具の側面図
【図１３】電気接続具の平面図
【図１４】電気接続具の底面図
【図１５】電気接続具の正面図
【図１６】本発明の第３の実施形態を示す電気接続具の上面側斜視図
【図１７】電気接続具の下面側斜視図
【図１８】電気接続具の側面図
【図１９】電気接続具の平面図
【図２０】電気接続具の底面図
【図２１】電気接続具の正面図
【図２２】本発明の第１の実施形態を示す電気接続具の上面側斜視図
【図２３】電気接続具の下面側斜視図
【図２４】電気接続具の側面図
【図２５】電気接続具の平面図
【図２６】電気接続具の底面図
【図２７】電気接続具の正面図
【図２８】本発明の第１の実施形態を示す電気接続具の上面側斜視図
【図２９】電気接続具の下面側斜視図
【図３０】電気接続具の側面図
【図３１】電気接続具の平面図
【図３２】電気接続具の底面図
【図３３】電気接続具の正面図
【発明を実施するための形態】
【００１１】
図１乃至図９は本発明の第１の実施形態を示すものである。同図に示す電気接続具は、例えば電気自動車に搭載される複数のバッテリを電気的に接続するために用いられるものである。
【００１２】
各バッテリ１は、電気自動車内に互いに隣接して配置されるもので、その側面上部には電力を出力するための板状の端子２が設けられている。端子２は厚さ方向が上下方向となるようにバッテリ１の側方に突出しており、その先端側にはボルト挿通孔２ａが設けられている。この場合、端子２は、バッテリ１の幅方向一方寄りに配置され、バッテリ１を隣接配置すると、図７に示すように各バッテリ１の端子２のボルト挿通孔２ａが互いにバッテリ１の幅方向に間隔をおいて位置するようになっている。尚、図示していないが、端子２はバッテリ１の前後方向両端に一つずつ設けられている。
【００１３】
本実施形態の電気接続具は、互いに径方向に間隔をおいて配置された一対のナット１０と、各ナット１０を保持する金属製の導電部材２０とを備え、隣り合うバッテリ１の端子２のボルト挿通孔２ａにボルト３０を挿通してナット１０に螺合することにより、導電部材２０を各端子２に締結するようになっている。
【００１４】
ナット１０は、周知の六角ナットからなり、その軸方向一端側には径方向に延びる円形のフランジ部１１が設けられている。
【００１５】
導電部材２０は、各ナット１０の配列方向に延びる板状の本体部２１と、本体部２１の幅方向両側に設けられた一対のナット保持部２２とからなり、本体部２１及びナット保持部２２は互いに一体に形成されている。本体部２１はボルト３０を挿通する一対のボルト挿通孔２１ａを有し、ボルト挿通孔２１ａはナット１０の内径Ｄ1 よりも大きい内径Ｄ2 を有するように形成されている。この場合、各ボルト挿通孔２１ａは、その中心間の距離Ａが各端子２のボルト挿通孔２ａ同士の中心間の距離と等しくなるように形成されている。各ナット保持部２２は本体部２１の幅方向両端から本体部２１の厚さ方向一方の面側に延出するとともに、その先端側が本体部２１の厚さ方向一方の面と間隔をおいて対向するように本体部２１の幅方向内側に向かって延びている。この場合、各ナット保持部２２の先端２２ａ同士の間隔Ｌは、ナット１０の六角形部分の短径Ｂ1 よりも大きく、六角形部分の長径Ｂ2 よりも小さくなっている。
【００１６】
導電部材２０には、各ナット１０が各ナット保持部２２によって保持され、各ナット１０はネジ孔が導電部材２０の各ボルト挿通孔２１ａにそれぞれ対応するように配置されている。この場合、ナット１０のフランジ部１１が導電部材２０の各ナット保持部２２と本体部２１との間に配置されることにより、各ナット保持部２２によってナット１０の軸方向（図中Ｚ方向）への移動が規制されるようになっている。また、各ナット保持部２２の間には各ナット１０の六角形部分が配置され、各ナット１０の六角形部分は短径方向が導電部材２０の幅方向（図中Ｘ方向）となる向きで配置されている。この場合、各ナット保持部２２の先端２２ａの間隔Ｌはナット１０の六角形部分の長径Ｂ2 よりも小さいので、ナット１０の六角形部分の側面が各ナット保持部２２の先端２２ａに係止することにより、ナット１０の回動が規制されるようになっている。更に、各ナット保持部２２の先端２２ａの間隔Ｌはナット１０の六角形部分の短径Ｂ1 よりも大きいので、ナット１０は径方向（図中Ｘ方向及びＹ方向）に移動可能になっている。
【００１７】
以上のように構成された電気接続具によってバッテリ１の端子２同士を接続する場合には、図７に示すように各ナット１０を保持した導電部材２０を本体部２１の厚さ方向他方の面が各端子２の下面に臨むように配置し、端子２のボルト挿通孔２ａにスプリングワッシャ３１及び平型ワッシャ３２を介してボルト３０を上方から挿通する。次に、ボルト３０を導電部材２０のボルト挿通孔２１ａに挿通してナット１０に螺合することにより、図８及び図９に示すように導電部材２０がボルト３０及びナット１０によって端子２に締結される。その際、ナット１０は導電部材２０の各ナット保持部２２によって軸方向の移動を規制されるとともに、ボルト螺合時の回動を規制されることから、ナット１０を手や工具で保持しておかなくともボルト３０を締結することができる。また、各端子２のボルト挿通孔２ａの間隔と導電部材２０の各ボルト挿通孔２１ａの間隔との間に寸法誤差がある場合でも、ナット１０は導電部材２０の各ナット保持部２２に径方向に移動可能に保持されていることから、ナット１０を導電部材２０の長手方向（図中Ｙ方向）に移動することにより、ナット１０と各端子２のボルト挿通孔２ａとを位置合わせすることができる。
【００１８】
このように、本実施形態によれば、バッテリ１の端子２同士を接続する導電部材２０に、ナット１０を径方向に移動可能に保持するナット保持部２２を設け、ナット保持部２２を、ナット１０の軸方向（ボルト挿通方向）への移動を規制可能に形成するとともに、ボルト螺合時のナット１０の回動を規制可能に形成したので、ナット１０を手や工具で保持しておかなくともボルト３０を締結することができ、バッテリ１の端子２への導電部材２０の締結作業を極めて容易に行うことができる。また、ナット１０を径方向（導電部材２０の長手方向）に移動させることにより、バッテリ１の端子２と導電部材２０のナット１０との位置ずれを吸収することができるので、各端子２のボルト挿通孔２ａの間隔に寸法誤差がある場合でも、ナット１０の位置をずらすことにより、ボルト３０を確実にナット１０に螺合することができる。
【００１９】
この場合、ナット保持部２２を、ナット１０のフランジ部１１にナット１０の軸方向から係止することにより、ボルト挿通方向へのナット１０の移動を規制するように形成するとともに、ナット１０の六角形部分の側面にナット１０の径方向から係止することにより、ボルト螺合時のナット１０の回動を規制するように形成したので、ナット１０の軸方向の移動及び回動をナット１０を導電部材２０に固定せずに規制することができる。これにより、ナット１０が固定されないので、ナット１０を径方向に移動可能に保持することができる。
【００２０】
図１０乃至図１５は本発明の第２の実施形態を示すもので、前記実施形態と同等の構成部分には同一の符号を付して示す。
【００２１】
本実施形態の電気接続具は、互いに径方向に間隔をおいて配置された一対のナット１０と、各ナット１０を保持する金属製の導電部材４０とを備え、前記実施形態と同様、隣り合うバッテリ１の端子２のボルト挿通孔２ａにボルト３０を挿通してナット１０に螺合することにより、導電部材５０を各端子２に締結するようになっている。
【００２２】
導電部材４０は、各ナット１０の配列方向に延びる板状の本体部４１と、本体部４１の幅方向両側に設けられた一対のナット保持部４２とからなり、本体部４１及びナット保持部４２は互いに一体に形成されている。本体部４１はボルト３０を挿通する一対のボルト挿通孔４１ａを有し、ボルト挿通孔４１ａはナット１０の内径Ｄ1 よりも大きい内径Ｄ2 を有するように形成されている。この場合、各ボルト挿通孔４１ａは、その中心間の距離Ａが各端子２のボルト挿通孔２ａ同士の中心間の距離と等しくなるように形成されている。各ナット保持部４２は本体部４１の幅方向両端から本体部４１の厚さ方向一方の面側に延出するとともに、その先端側が本体部４１の厚さ方向一方の面と間隔をおいて対向するように本体部４１の幅方向内側に向かって延びている。この場合、各ナット保持部４２は、本体部４１の幅方向両端側から延出する部分の一部を折り曲げることにより形成されている。また、ナット保持部４２の先端側には各ナット１０をそれぞれ保持する一対の切り欠き部４２ａが設けられ、各切り欠き部４２ａはナット保持部４２の幅方向両側に形成されている。この場合、各ナット保持部４２は、切り欠き部４２ａ同士の間隔Ｌ1 がナット１０の六角形部分の短径Ｂ1 よりも大きく、六角形部分の長径Ｂ2 よりも小さくなっており、各ナット保持部４２の幅方向中央側の間隔Ｌ2 がナット１０の六角形部分の短径Ｂ1 よりも小さくなっている。
【００２３】
導電部材４０には、各ナット１０が各ナット保持部４２によって保持され、各ナット１０はネジ孔が導電部材４０の各ボルト挿通孔４１ａにそれぞれ対応するように配置されている。この場合、ナット１０のフランジ部１１が導電部材４０の各ナット保持部４２と本体部４１との間に配置されることにより、各ナット保持部４２によってナット１０の軸方向（図中Ｚ方向）への移動が規制されるようになっている。また、各ナット保持部４２の切り欠き部４２ａの間には各ナット１０の六角形部分が配置され、各ナット１０の六角形部分は短径方向が導電部材４０の幅方向（図中Ｘ方向）となる向きで配置されている。この場合、各ナット保持部４２の切り欠き部４２ａの間隔Ｌ1 はナット１０の六角形部分の長径Ｂ2 よりも小さいので、ナット１０の六角形部分の側面が各ナット保持部４２の切り欠き部４２ａに係止することにより、ナット１０の回動が規制されるようになっている。更に、各ナット保持部４２の切り欠き部４２ａの間隔Ｌ1 はナット１０の六角形部分の短径Ｂ1 よりも大きいので、ナット１０は径方向（図中Ｘ方向及びＹ方向）に移動可能になっている。この場合、各ナット保持部４２の幅方向中央側（切り欠き部４２ａ以外の部分）の間隔Ｌ2 はナット１０の六角形部分の短径Ｂ1 よりも小さいので、ナット１０が切り欠き部４２ａの幅方向一端に係止することにより、ナット保持部４２の幅方向中央側へのナット１０の移動が規制されるようになっている。
【００２４】
本実施形態によれば、前記実施形態と同様、ナット１０を手や工具で保持しておかなくともボルト３０を締結することができるので、バッテリ１の端子２への導電部材４０の締結作業を極めて容易に行うことができる。また、前記実施形態と同様、端子２とナット１０との位置ずれを吸収することができるので、ボルト３０を確実にナット１０に螺合することができる。
【００２５】
更に、前記実施形態と同様、ナット１０の軸方向の移動及び回動をナット１０を導電部材４０に固定せずに規制することができるので、ナット１０を径方向に移動可能に保持することができる。
【００２６】
また、ナット１０を各ナット保持部４２の切り欠き部４２ａ内に保持するとともに、ナット１０が切り欠き部４２ａの幅方向一端に係止することにより、ナット保持部４２の幅方向中央側へのナット１０の移動を規制するようにしたので、導電部材４０の各ボルト挿通孔４１ａに対する各ナット１０の位置決めを容易に行うことができ、ボルト３０を螺合する際の作業性の向上を図ることができる。
【００２７】
図１６乃至図２１は本発明の第３の実施形態を示すもので、前記実施形態と同等の構成部分には同一の符号を付して示す。
【００２８】
本実施形態の電気接続具は、互いに径方向に間隔をおいて配置された一対のナット１０と、各ナット１０を保持する金属製の導電部材５０とを備え、前記実施形態と同様、隣り合うバッテリ１の端子２のボルト挿通孔２ａにボルト３０を挿通してナット１０に螺合することにより、導電部材５０を各端子２に締結するようになっている。
【００２９】
導電部材５０は、各ナット１０の配列方向に延びる板状の本体部５１と、本体部５１の幅方向両側に設けられた一対のナット保持部５２とからなり、本体部５１及びナット保持部５２は互いに一体に形成されている。本体部５１はボルト３０を挿通する一対のボルト挿通孔５１ａを有し、ボルト挿通孔５１ａはナット１０の内径Ｄ1 よりも大きい内径Ｄ2 を有するように形成されている。この場合、各ボルト挿通孔５１ａは、その中心間の距離Ａが各端子２のボルト挿通孔２ａ同士の中心間の距離と等しくなるように形成されている。各ナット保持部５２は本体部５１の幅方向両端から本体部５１の厚さ方向一方の面側に延出するとともに、その先端側が本体部５１の厚さ方向一方の面と間隔をおいて対向するように本体部５１の幅方向内側に向かって延びている。この場合、各ナット保持部５２は、本体部５１の幅方向両端側から延出する部分を折り曲げることにより形成されている。また、ナット保持部５２の先端側には各ナット１０をそれぞれ保持する一対の切り欠き部５２ａが設けられ、各切り欠き部５２ａはそれぞれ凹状に形成されている。この場合、各ナット保持部５２は、切り欠き部５２ａ同士の間隔Ｌ1 がナット１０の六角形部分の短径Ｂ1 よりも大きく、六角形部分の長径Ｂ2 よりも小さくなっており、各切り欠き部５２ａ以外の部分の間隔Ｌ2 がナット１０の六角形部分の短径Ｂ1 よりも小さくなっている。また、切り欠き部５２ａの幅Ｗは、ナット１０の径方向（図中Ｙ方向）への移動を所定範囲内に規制可能な寸法になっている。
【００３０】
導電部材５０には、各ナット１０が各ナット保持部５２によって保持され、各ナット１０はネジ孔が導電部材５０の各ボルト挿通孔５１ａにそれぞれ対応するように配置されている。この場合、ナット１０のフランジ部１１が導電部材５０の各ナット保持部５２と本体部５１との間に配置されることにより、各ナット保持部５２によってナット１０の軸方向（図中Ｚ方向）への移動が規制されるようになっている。また、各ナット保持部５２の切り欠き部５２ａの間には各ナット１０の六角形部分が配置され、各ナット１０の六角形部分は短径方向が導電部材５０の幅方向（図中Ｘ方向）となる向きで配置されている。この場合、各ナット保持部５２の切り欠き部５２ａの間隔Ｌ1 はナット１０の六角形部分の長径Ｂ2 よりも小さいので、ナット１０の六角形部分の側面が各ナット保持部５２の切り欠き部５２ａに係止することにより、ナット１０の回動が規制されるようになっている。更に、各ナット保持部５２の切り欠き部５２ａの間隔Ｌ1 はナット１０の六角形部分の短径Ｂ1 よりも大きいので、ナット１０は径方向（図中Ｘ方向及びＹ方向）に移動可能になっている。この場合、各ナット保持部５２の切り欠き部５２ａ以外の部分の間隔Ｌ2 はナット１０の六角形部分の短径Ｂ1 よりも小さいので、ナット１０が切り欠き部５２ａの幅方向両端に係止することにより、ナット１０の径方向への移動が所定範囲内に規制されるようになっている。
【００３１】
本実施形態によれば、前記実施形態と同様、ナット１０を手や工具で保持しておかなくともボルト３０を締結することができるので、バッテリ１の端子２への導電部材５０の締結作業を極めて容易に行うことができる。また、前記実施形態と同様、端子２とナット１０との位置ずれを吸収することができるので、ボルト３０を確実にナット１０に螺合することができる。
【００３２】
更に、前記実施形態と同様、ナット１０の軸方向の移動及び回動をナット１０を導電部材５０に固定せずに規制することができるので、ナット１０を径方向に移動可能に保持することができる。
【００３３】
また、ナット１０を各ナット保持部５２の切り欠き部５２ａ内に保持するとともに、ナット１０が切り欠き部５２ａの幅方向両端に係止することにより、ナット１０の径方向への移動を所定範囲内に規制するようにしたので、導電部材５０の各ボルト挿通孔５１ａに対する各ナット１０の位置決めを容易に行うことができるとともに、各ナット１０が導電部材５０から外れることがなく、ボルト３０を螺合する際の作業性の向上を図ることができる。
【００３４】
図２２乃至図２７は本発明の第４の実施形態を示すもので、前記実施形態と同等の構成部分には同一の符号を付して示す。
【００３５】
本実施形態の電気接続具は、互いに径方向に間隔をおいて配置された一対のナット１０と、各ナット１０を保持する金属製の導電部材６０とを備え、前記実施形態と同様、隣り合うバッテリ１の端子２のボルト挿通孔２ａにボルト３０を挿通してナット１０に螺合することにより、導電部材６０を各端子２に締結するようになっている。
【００３６】
導電部材６０は、各ナット１０の配列方向に延びる板状の本体部６１と、本体部６１の幅方向両側に設けられた一対のナット保持部６２とからなり、本体部６１及びナット保持部６２は互いに一体に形成されている。本体部６１はボルト３０を挿通する一対のボルト挿通孔６１ａを有し、ボルト挿通孔６１ａはナット１０の内径Ｄ1 よりも大きい内径Ｄ2 を有するように形成されている。この場合、各ボルト挿通孔６１ａは、その中心間の距離Ａが各端子２のボルト挿通孔２ａ同士の中心間の距離と等しくなるように形成されている。各ナット保持部６２は本体部６１の幅方向両端から本体部６１の厚さ方向一方の面側に延出するとともに、その先端側が本体部６１の厚さ方向一方の面と間隔をおいて対向するように本体部６１の幅方向内側に向かって延びている。この場合、各ナット保持部６２は、本体部６１の幅方向両端側から延出する部分を折り曲げることにより形成されている。また、ナット保持部６２の先端側には各ナット１０をそれぞれ保持する一対の切り欠き部６２ａが設けられ、各切り欠き部６２ａはナット保持部６２の幅方向両側に形成されている。この場合、各ナット保持部６２は、切り欠き部６２ａ同士の間隔Ｌ1 がナット１０の六角形部分の短径Ｂ1 よりも大きく、六角形部分の長径Ｂ2 よりも小さくなっており、各ナット保持部６２の幅方向中央側の間隔Ｌ2 がナット１０の六角形部分の短径Ｂ1 よりも小さくなっている。また、ナット保持部６２の幅方向両端側には、導電部材６０の長手方向に延びる延出部６２ｂが設けられ、延出部６２ｂの先端側には本体部６１の一方の面側に向かって山形に突出する突出部６２ｃが設けられている。
【００３７】
導電部材６０には、各ナット１０が各ナット保持部６２によって保持され、各ナット１０はネジ孔が導電部材６０の各ボルト挿通孔６１ａにそれぞれ対応するように配置されている。この場合、ナット１０のフランジ部１１が導電部材６０の各ナット保持部６２と本体部６１との間に配置されることにより、各ナット保持部６２によってナット１０の軸方向（図中Ｚ方向）への移動が規制されるようになっている。また、各ナット保持部６２の切り欠き部６２ａの間には各ナット１０の六角形部分が配置され、各ナット１０の六角形部分は短径方向が導電部材６０の幅方向（図中Ｘ方向）となる向きで配置されている。この場合、各ナット保持部６２の切り欠き部６２ａの間隔Ｌ1 はナット１０の六角形部分の長径Ｂ2 よりも小さいので、ナット１０の六角形部分の側面が各ナット保持部６２の切り欠き部６２ａに係止することにより、ナット１０の回動が規制されるようになっている。更に、各ナット保持部６２の切り欠き部６２ａの間隔Ｌ1 はナット１０の六角形部分の短径Ｂ1 よりも大きいので、ナット１０は径方向（図中Ｘ方向及びＹ方向）に移動可能になっている。この場合、各ナット保持部６２の幅方向中央側（切り欠き部６２ａ以外の部分）の間隔Ｌ2 はナット１０の六角形部分の短径Ｂ1 よりも小さいので、ナット１０が切り欠き部６２ａの幅方向一端に係止するとともに、ナット１０のフランジ部１１が延出部６２ｂの突出部６２ｃに係止することにより、ナット１０の径方向への移動が所定範囲内に規制されるようになっている。
【００３８】
本実施形態によれば、前記実施形態と同様、ナット１０を手や工具で保持しておかなくともボルト３０を締結することができるので、バッテリ１の端子２への導電部材６０の締結作業を極めて容易に行うことができる。また、前記実施形態と同様、端子２とナット１０との位置ずれを吸収することができるので、ボルト３０を確実にナット１０に螺合することができる。
【００３９】
更に、前記実施形態と同様、ナット１０の軸方向の移動及び回動をナット１０を導電部材６０に固定せずに規制することができるので、ナット１０を径方向に移動可能に保持することができる。
【００４０】
また、ナット１０を各ナット保持部６２の切り欠き部６２ａ内に保持するとともに、ナット１０が切り欠き部６２ａの幅方向一端と延出部６２ｂの突出部６２ｃに係止することにより、ナット１０の径方向への移動を所定範囲内に規制するようにしたので、導電部材６０の各ボルト挿通孔６１ａに対する各ナット１０の位置決めを容易に行うことができるとともに、各ナット１０が導電部材６０から外れることがなく、ボルト３０を螺合する際の作業性の向上を図ることができる。
【００４１】
図２８乃至図３３は本発明の第５の実施形態を示すもので、前記実施形態と同等の構成部分には同一の符号を付して示す。
【００４２】
本実施形態の電気接続具は、互いに径方向に間隔をおいて配置された一対のナット１０と、各ナット１０を保持する金属製の導電部材７０とを備え、前記実施形態と同様、隣り合うバッテリ１の端子２のボルト挿通孔２ａにボルト３０を挿通してナット１０に螺合することにより、導電部材７０を各端子２に締結するようになっている。
【００４３】
導電部材７０は、各ナット１０の配列方向に延びる板状の本体部７１と、本体部７１の長手方向両側に設けられた一対のナット保持部７２とからなり、本体部７１及びナット保持部７２は互いに一体に形成されている。本体部７１はボルト３０を挿通する一対のボルト挿通孔７１ａを有し、ボルト挿通孔７１ａはナット１０の内径Ｄ1 よりも大きい内径Ｄ2 を有するように形成されている。この場合、各ボルト挿通孔７１ａは、その中心間の距離Ａが各端子２のボルト挿通孔２ａ同士の中心間の距離と等しくなるように形成されている。本体部７１の長手方向中央（ボルト挿通孔２ａの間）にはＵ字状に屈曲する屈曲部７１ｂが設けられ、屈曲部７１ｂは本体部７１の長手方向（各ナット１０の隣接方向）に弾性変形可能に形成されている。各ナット保持部７２は本体部７１の長手両端から本体部７１の厚さ方向一方の面側に延出するとともに、本体部７１の厚さ方向一方の面と間隔をおいて対向するように本体部７１の長手方向中央側に向かって延びている。この場合、各ナット保持部７２は、本体部７１の長手方向両端側から延出する部分を折り曲げることにより形成されている。また、ナット保持部７２には、各ナット１０をそれぞれ保持する一対の保持孔７２ａが設けられている。この場合、保持孔７２ａは、本体部７１の幅方向の開口幅Ｌがナット１０の六角形部分の短径Ｂ1 よりも大きく、六角形部分の長径Ｂ2 よりも小さくなっている。
【００４４】
導電部材７０には、各ナット１０が各ナット保持部７２によって保持され、各ナット１０はネジ孔が導電部材７０の各ボルト挿通孔７１ａにそれぞれ対応するように配置されている。この場合、ナット１０のフランジ部１１が導電部材７０の各ナット保持部７２と本体部７１との間に配置されることにより、各ナット保持部７２によってナット１０の軸方向（図中Ｚ方向）への移動が規制されるようになっている。また、各ナット保持部７２の保持孔７２ａの間には各ナット１０の六角形部分が配置され、各ナット１０の六角形部分は短径方向が導電部材７０の幅方向（図中Ｘ方向）となる向きで配置されている。この場合、保持孔７２ａの導電部材７０の幅方向の開口幅Ｌはナット１０の六角形部分の長径Ｂ2 よりも小さいので、ナット１０の六角形部分の側面が保持孔７２ａ内の幅方向両端に係止することにより、ナット１０の回動が規制されるようになっている。更に、保持孔７２ａの開口幅Ｌはナット１０の六角形部分の短径Ｂ1 よりも大きいので、ナット１０は径方向（図中Ｘ方向及びＹ方向）に移動可能になっている。この場合、ナット１０が保持孔７２ａ内の一端に導電部材７０の長手方向一方から係止するとともに、ナット１０のフランジ部１１がナット保持部７２の折り曲げ部分に導電部材７０の長手方向他方から係止することにより、ナット１０の径方向への移動が所定範囲内に規制されるようになっている。
【００４５】
本実施形態によれば、前記実施形態と同様、ナット１０を手や工具で保持しておかなくともボルト３０を締結することができるので、バッテリ１の端子２への導電部材７０の締結作業を極めて容易に行うことができる。また、前記実施形態と同様、端子２とナット１０との位置ずれを吸収することができるので、ボルト３０を確実にナット１０に螺合することができる。
【００４６】
更に、前記実施形態と同様、ナット１０の軸方向の移動及び回動をナット１０を導電部材７０に固定せずに規制することができるので、ナット１０を径方向に移動可能に保持することができる。
【００４７】
また、ナット１０をナット保持部７２の保持孔７２ａ内に保持するとともに、ナット１０が保持孔７２ａの一端とナット保持部７２の折り曲げ部分に係止することにより、ナット１０の径方向への移動を所定範囲内に規制するようにしたので、導電部材７０の各ボルト挿通孔７１ａに対する各ナット１０の位置決めを容易に行うことができるとともに、各ナット１０が導電部材７０から外れることがなく、ボルト３０を螺合する際の作業性の向上を図ることができる。
【００４８】
更に、導電部材７０に本体部７１の長手方向に弾性変形可能な屈曲部７１ｂを設けたので、バッテリ１からの振動や衝撃により導電部材７０に応力が生じた場合でも、導電部材７０の各ナット１０間に位置する屈曲部７１ｂが各ナットの隣接方向に弾性変形することにより振動や衝撃を吸収することができ、耐久性の向上を図ることができる。
【００４９】
尚、前記各実施形態では、２つのナット１０を導電部材２０，４０，５０，６０，７０に保持するようにしたものを示したが、導電部材に３つ以上のナット１０を保持するようにしてもよい。
【符号の説明】
【００５０】
１…バッテリ、２…端子、１０…ナット、２０…導電部材、２２…ナット保持部、３０…ボルト、４０…導電部材、４２…ナット保持部、５０…導電部材、５２…ナット保持部、６０…導電部材、６２…ナット保持部、７０…導電部材、７２…ナット保持部、７１ｂ…屈曲部。
【図１】
2012209165.tif 000003
【図２】
2012209165.tif 000004
【図３】
2012209165.tif 000005
【図４】
2012209165.tif 000006
【図５】
2012209165.tif 000007
【図６】
2012209165.tif 000008
【図７】
2012209165.tif 000009
【図８】
2012209165.tif 000010
【図９】
2012209165.tif 000011
【図１０】
2012209165.tif 000012
【図１１】
2012209165.tif 000013
【図１２】
2012209165.tif 000014
【図１３】
2012209165.tif 000015
【図１４】
2012209165.tif 000016
【図１５】
2012209165.tif 000017
【図１６】
2012209165.tif 000018
【図１７】
2012209165.tif 000019
【図１８】
2012209165.tif 000020
【図１９】
2012209165.tif 000021
【図２０】
2012209165.tif 000022
【図２１】
2012209165.tif 000023
【図２２】
2012209165.tif 000024
【図２３】
2012209165.tif 000025
【図２４】
2012209165.tif 000026
【図２５】
2012209165.tif 000027
【図２６】
2012209165.tif 000028
【図２７】
2012209165.tif 000029
【図２８】
2012209165.tif 000030
【図２９】
2012209165.tif 000031
【図３０】
2012209165.tif 000032
【図３１】
2012209165.tif 000033
【図３２】
2012209165.tif 000034
【図３３】
2012209165.tif 000035